(57)【要約】【課題】アナログレコードに記録されたオーディオ信号を記録媒体にトラック番号を付して記録する場合には、ユーザによる操作が必要であり、オーディオ信号の曲名の情報を映像として記録媒体に記録することができない。【解決手段】アナログレコード再生装置は、ターンテーブルに載置されたアナログレコードの中央部分を撮影したビデオ信号を出力し、オーディオ信号の信号レベルとピックアップの移動距離に基づいてオーディオ信号の曲間を検出して当該曲間に基づいて前記オーディオ信号の各楽曲のトラック番号と当該オーディオ信号を出力し、記録装置は、アナログレコード再生装置が出力したビデオ信号及びオーディオ信号及びトラック番号に基づいてオーディオ信号を各楽曲毎に区別してビデオ信号とともにエンコードしてビデオ・オーディオ信号を生成しトラック番号を付して記録媒体に記録する。【選択図】      図１
2005267758.tif 000002
【特許請求の範囲】
【請求項１】
アナログレコードを載置するターンテーブルを備え前記ターンテーブルを回転させるターンテーブル駆動部と、支持軸と当該支持軸に回転可能に支持されたピックアップとを備え前記アナログレコードに記録されたオーディオ信号を読み取り出力する信号読取部と、前記信号読取部の前記支持軸の回転角度を検出し当該検出した回転角度を示す角度信号を出力する回転検出部と、前記ターンテーブルに載置された前記アナログレコードの中央部分を撮影しビデオ信号を出力する撮影部と、前記信号読取部が出力したオーディオ信号と前記回転検出部が出力した前記角度信号に基づいて前記アナログレコードに記録されたオーディオ信号の各トラックの間に存在する曲間を検出し当該曲間に基づいて前記アナログレコードから読み取ったオーディオ信号の各トラックのトラック番号を出力すると共に各トラックのオーディオ信号を出力する信号処理部と、前記撮影部が出力したビデオ信号と前記信号処理部が出力した前記トラック番号及び前記オーディオ信号を出力する出力部と、前記ビデオ信号を前記出力部から出力すると共に各トラックのオーディオ信号を出力する前に当該オーディオ信号の各トラックのトラック番号を前記出力部から出力する制御を行う制御部とを備えることを特徴とするアナログレコード再生装置。
【請求項２】
アナログレコードの中央部分を撮影したビデオ信号と前記アナログレコードから再生されたオーディオ信号と当該オーディオ信号の各トラックのトラック番号を入力する入力部と、前記入力部から出力された前記ビデオ信号を一時記憶するメモリを備え前記入力部から出力された前記トラック番号に基づいて前記入力部から出力された前記オーディオ信号をトラック毎に区別して前記ビデオ信号とともにエンコードしてビデオ・オーディオ信号を生成するエンコード部と、前記エンコード部から出力されたビデオ・オーディオ信号を記録媒体に記録する記録部と、前記トラック番号に基づいて前記オーディオ信号の各トラック毎にトラック番号を付し前記ビデオ信号とともにエンコードする制御を行う制御部とを備えたことを特徴とする記録装置。
【請求項３】
アナログレコード再生装置と記録装置を備える情報再生記録システムにおいて、前記アナログレコード再生装置は、アナログレコードを載置するターンテーブルを備え前記ターンテーブルを回転させるターンテーブル駆動部と、支持軸と当該支持軸に回転可能に支持されたピックアップとを備え前記アナログレコードに記録されたオーディオ信号を読み取り出力する信号読取部と、前記信号読取部の前記支持軸の回転角度を検出し当該検出した回転角度を示す角度信号を出力する回転検出部と、前記ターンテーブルに載置された前記アナログレコードの中央部分を撮影しビデオ信号を出力する撮影部と、前記信号読取部が出力したオーディオ信号と前記回転検出部が出力した前記角度信号に基づいて前記アナログレコードに記録されたオーディオ信号の各トラックの間に存在する曲間を検出し当該曲間に基づいて前記アナログレコードから読み取ったオーディオ信号の各トラックのトラック番号を出力すると共に各トラックのオーディオ信号を出力する信号処理部と、前記撮影部が出力したビデオ信号と前記信号処理部が出力した前記トラック番号及び前記オーディオ信号を出力する出力部と、前記ビデオ信号を前記出力部から出力すると共に各トラックのオーディオ信号を出力する前に当該オーディオ信号の各トラックのトラック番号を前記出力部から出力する制御を行う制御部とを備え、前記記録装置は、前記ビデオ信号と前記オーディオ信号と前記トラック番号を入力する入力部と、前記入力部から出力された前記ビデオ信号を一時記憶するメモリを備え前記入力部から出力された前記トラック番号に基づいて前記入力部から出力された前記オーディオ信号をトラック毎に区別して前記ビデオ信号とともにエンコードしてビデオ・オーディオ信号を生成するエンコード部と、前記エンコード部から出力されたビデオ・オーディオ信号を記録媒体に記録する記録部と、前記トラック番号に基づいて前記オーディオ信号の各トラック毎にトラック番号を付し前記ビデオ信号とともにエンコードする制御を行う制御部とを備えたことを特徴とする情報再生記録システム。
【発明の詳細な説明】
【技術分野】
【０００１】
本発明は、アナログレコードを再生するアナログレコード再生装置、アナログレコードに記録されたオーディオ信号を記録媒体に記録する記録装置、前記アナログレコード再生装置及び前記記録装置を備える情報再生記録システムに関する。
【背景技術】
【０００２】
オーディオ信号が記録されたアナログレコードをアナログプレーヤが再生し、アナログプレーヤが再生したオーディオ信号にトラック番号を付し、ＣＤ−Ｒ（Compact Disc - Rewritable）に記録する情報記録装置が特許文献１に開示されている。
【０００３】
【特許文献１】特開２００２−７４９１５
【発明の開示】
【発明が解決しようとする課題】
【０００４】
特許文献１に開示されている情報記録装置では、ユーザがアナログレコードのジャケット等からアナログレコードに記録されている楽曲の曲数や各楽曲の再生時間を読み取り、曲数や各楽曲の再生時間を情報記録装置の入力手段を用いて入力すると、情報記録装置は、それらの情報に基づいてアナログレコードから再生されたオーディオ信号にトラック番号を付してＣＤ−Ｒに記録していた。このため、ユーザがアナログレコードに記録されている楽曲の曲数や各楽曲の再生時間を読み取り、情報記録装置に入力する必要があるため、手間がかかる。
【０００５】
また、特許文献１に開示されている情報記録装置では、ユーザがアナログレコードに記録されている楽曲の曲数や各楽曲の再生時間を間違って入力した場合、ＣＤ−Ｒに記録されたオーディオ信号にトラック番号が誤った位置に付されることがある。例えば、１曲目の楽曲の再生時間が５分１０秒であり、曲間が２秒であり、２曲目の楽曲の再生開始時刻が５分１３秒からの場合、ユーザが１曲目の楽曲の再生時間を５分１５秒としてＣＤ−Ｒに記録すると、ＣＤ−Ｒに記録された２曲目の楽曲が開始して２秒経過した時刻にトラック番号２が付される。この場合、２曲目の楽曲のトラック番号２を指定して再生を開始すると、２曲目の楽曲の曲の先頭部から再生されない。
【０００６】
また、特許文献１に開示されている情報記録装置では、トラック番号や各楽曲の再生時間をＣＤ−Ｒに記録することはできるが、そのＣＤ−Ｒに記録されたオーディオ信号の各楽曲の曲名を記録することができない。このため、ユーザが当該ＣＤ−Ｒに記録された曲名を簡単に知ることができない。
【０００７】
本発明は、簡単な操作により、アナログレコードに記録されたオーディオ信号をトラック番号を付して記録媒体に記録することができ、また、オーディオ信号の曲名の情報を映像情報として記録媒体に記録することができるアナログレコード再生装置及び記録装置及び情報再生記録システムを提供することを目的とする。
【課題を解決するための手段】
【０００８】
本願の発明は、アナログレコード再生装置において、アナログレコードを載置するターンテーブルを備え前記ターンテーブルを回転させるターンテーブル駆動部と、支持軸と当該支持軸に回転可能に支持されたピックアップとを備え前記アナログレコードに記録されたオーディオ信号を読み取り出力する信号読取部と、前記信号読取部の前記支持軸の回転角度を検出し当該検出した回転角度を示す角度信号を出力する回転検出部と、前記ターンテーブルに載置された前記アナログレコードの中央部分を撮影しビデオ信号を出力する撮影部と、前記信号読取部が出力したオーディオ信号と前記回転検出部が出力した前記角度信号に基づいて前記アナログレコードに記録されたオーディオ信号の各トラックの間に存在する曲間を検出し当該曲間に基づいて前記アナログレコードから読み取ったオーディオ信号の各トラックのトラック番号を出力すると共に各トラックのオーディオ信号を出力する信号処理部と、前記撮影部が出力したビデオ信号と前記信号処理部が出力した前記トラック番号及び前記オーディオ信号を出力する出力部と、前記ビデオ信号を前記出力部から出力すると共に各トラックのオーディオ信号を出力する前に当該オーディオ信号の各トラックのトラック番号を前記出力部から出力する制御を行う制御部とを備えることを特徴とする。
【０００９】
また、本願の発明は、記録装置において、アナログレコードの中央部分を撮影したビデオ信号と前記アナログレコードから再生されたオーディオ信号と当該オーディオ信号の各トラックのトラック番号を入力する入力部と、前記入力部から出力された前記ビデオ信号を一時記憶するメモリを備え前記入力部から出力された前記トラック番号に基づいて前記入力部から出力された前記オーディオ信号をトラック毎に区別して前記ビデオ信号とともにエンコードしてビデオ・オーディオ信号を生成するエンコード部と、前記エンコード部から出力されたビデオ・オーディオ信号を記録媒体に記録する記録部と、前記トラック番号に基づいて前記オーディオ信号の各トラック毎にトラック番号を付し前記ビデオ信号とともにエンコードする制御を行う制御部とを備えたことを特徴とする。
【００１０】
また、本願の発明は、アナログレコード再生装置と記録装置を備える情報再生記録システムにおいて、前記アナログレコード再生装置は、アナログレコードを載置するターンテーブルを備え前記ターンテーブルを回転させるターンテーブル駆動部と、支持軸と当該支持軸に回転可能に支持されたピックアップとを備え前記アナログレコードに記録されたオーディオ信号を読み取り出力する信号読取部と、前記信号読取部の前記支持軸の回転角度を検出し当該検出した回転角度を示す角度信号を出力する回転検出部と、前記ターンテーブルに載置された前記アナログレコードの中央部分を撮影しビデオ信号を出力する撮影部と、前記信号読取部が出力したオーディオ信号と前記回転検出部が出力した前記角度信号に基づいて前記アナログレコードに記録されたオーディオ信号の各トラックの間に存在する曲間を検出し当該曲間に基づいて前記アナログレコードから読み取ったオーディオ信号の各トラックのトラック番号を出力すると共に各トラックのオーディオ信号を出力する信号処理部と、前記撮影部が出力したビデオ信号と前記信号処理部が出力した前記トラック番号及び前記オーディオ信号を出力する出力部と、前記ビデオ信号を前記出力部から出力すると共に各トラックのオーディオ信号を出力する前に当該オーディオ信号の各トラックのトラック番号を前記出力部から出力する制御を行う制御部とを備え、前記記録装置は、前記ビデオ信号と前記オーディオ信号と前記トラック番号を入力する入力部と、前記入力部から出力された前記ビデオ信号を一時記憶するメモリを備え前記入力部から出力された前記トラック番号に基づいて前記入力部から出力された前記オーディオ信号をトラック毎に区別して前記ビデオ信号とともにエンコードしてビデオ・オーディオ信号を生成するエンコード部と、前記エンコード部から出力されたビデオ・オーディオ信号を記録媒体に記録する記録部と、前記トラック番号に基づいて前記オーディオ信号の各トラック毎にトラック番号を付し前記ビデオ信号とともにエンコードする制御を行う制御部とを備えたことを特徴とする。
【発明の効果】
【００１１】
本発明によれば、簡単な操作により、アナログレコードに記録されたオーディオ信号をトラック番号を付して記録媒体に記録することができる。また、オーディオ信号の曲名の情報を映像情報として記録媒体に記録することができる。
【発明を実施するための最良の形態】
【００１２】
図１は、本発明の情報再生記録システムの一実施例の概略構成を示す図である。
図１において、本実施例の情報再生記録システムは、アナログレコード再生装置１０と記録装置２０を備える。
【００１３】
まず、アナログレコード再生装置１０について説明する。
アナログレコード再生装置１０は、ターンテーブル駆動部１１、信号読取部１２、回転検出部１３、撮影部１４、信号処理部１５、出力部１６、操作部１７、再生装置制御部１８を備える。
【００１４】
ターンテーブル駆動部１１は、アナログレコード３０が載置されるターンテーブル１１１と、ターンテーブル１１１を予め定めた回転数で回転させるモータ１１２を備える。モータ１１２は、後述する再生装置制御部１８の制御により、予め定めた回転数（３３回転／分、或いは、４５回転／分）で回転する。
【００１５】
信号読取部１２は、アナログレコード３０に記録されたオーディオ信号を検出するピックアップ１２１と、ピックアップ１２１をアナログレコード３０の半径方向に移動可能に支持すると共にターンテーブル１１１のアナログレコード３０の載置面に対して垂直方向に移動可能に指示する支持軸（図示せず）を備える支持部１２２とを備える。ピックアップ１２１は、アナログレコード３０から読み取ったアナログオーディオ信号を後述する信号処理部１５に出力する。支持部１２２は、ピックアップ１２１がアナログレコード３０に接触してない状態と、ピックアップ１２１がアナログレコード３０に接触している状態（ピックアップ１２１のレコード針がアナログレコード３０に載置されている状態）とを検出し、ピックアップ位置情報として回転検出部１３に出力する。
【００１６】
回転検出部１３は、支持部１２２からのピックアップ位置情報に基づいて、ピックアップ１２１がアナログレコード３０に接触してない状態からピックアップ１２１がアナログレコード３０に接触している状態になった時を基準とし、ピックアップ１２１のアナログレコードの半径方向への移動に伴って回転する支持部１２２の支持軸の回転角度を検出し、検出した回転角度を角度信号として信号処理部１５に出力する。
【００１７】
撮影部１４は、例えばＣＣＤ（Charge Coupled Device）カメラなどの撮像素子を備える。撮影部１４は、アナログレコード再生装置１０の蓋部にアナログレコード３０の中央部分に貼り付けられたレーベル部分を撮影することができる位置に設置されている。撮影部１４は、後述する再生装置制御部１８の制御に基づいてアナログレコード３０のレーベル面を撮影し、撮影したビデオ信号を後段の信号処理部１５に出力する。
【００１８】
信号処理部１５は、信号読取部１２から入力されるアナログオーディオ信号をデジタルオーディオ信号に変換するアナログデジタル変換処理、ピックアップ１２１から入力されるアナログオーディオ信号及び回転検出部１３から入力される角度信号に基づいて信号読取部１２から入力されるアナログオーディオ信号の各トラックの間に存在する曲間を検出する曲間検出処理、撮影部１４から入力されるビデオ信号を後述する記録装置２０に送信可能なデータ形式に変換して出力部１６に出力するレーベル処理、信号読取部１２から入力されるアナログオーディオ信号に含まれるノイズ成分を低減するノイズ低減処理を行う。
【００１９】
なお、信号処理部１５は、信号読取部１２から入力されたアナログオーディオ信号をそのまま後段の出力部１６に出力する信号経路と、信号読取部１２から入力されたアナログオーディオ信号をデジタルオーディオ信号に変換し後段の出力部１６に出力する信号経路を備える。
【００２０】
曲間検出処理においては、信号読取部１２から入力されるアナログオーディオ信号の信号レベルと予め定めた閾値とを比較し、アナログオーディオ信号の信号レベルが予め定めた閾値以下である部分を無音部分（曲と曲との間の無音部分）として検出する。また、アナログレコード３０では、曲（トラック）と曲（トラック）の間は、曲中の溝の間隔より広い間隔で溝が形成されていることから、回転検出部１３から入力される角度信号に基づいてピックアップ１２１の単位時間当たりの移動距離を演算により求め、ピックアップ１２１の単位時間当たりの移動距離が曲中の移動距離より長い期間を曲間として検出する。そして、アナログオーディオ信号の信号レベルと予め定めた閾値との比較により検出した無音部分と、単位時間当たりのピックアップの移動距離により検出した曲間とが一致した期間を、アナログレコード３０に記録されているオーディオ信号の曲（トラック）と曲（トラック）との間に存在する曲間とする。
【００２１】
信号処理部１５は、回転検出部１３から入力される角度信号に基づいて単位時間当たりのピックアップ１２１の移動距離が曲間の移動距離より短くなった時点を信号読取部１２から入力されるアナログオーディオ信号の各楽曲の先頭部と判別し、トラック番号を出力部１６に出力する。
【００２２】
信号処理部１５は、アナログレコード３０の最外周にピックアップ１２１を載置して再生を開始し、信号読取部１２から最初にアナログオーディオ信号が入力したとき、当該アナログオーディオ信号を出力部１６に出力する前に１曲目であることを示すトラック番号「トラック１」を出力部１６に出力し、その後、曲間検出処理により曲間を検出した場合、次のアナログオーディオ信号が２曲目であることを示すトラック番号「トラック２」を出力部１６に出力する。この処理を繰り返し、信号読取部１２から入力するアナログオーディオ信号の各トラックに対してトラック番号を出力する。
【００２３】
なお、アナログレコード３０の２曲目以降の楽曲から再生を開始した場合には、ユーザが操作部１７を用いてトラック番号の初期値を変更することもできる。アナログレコード３０の最外周にピックアップ１２１を載置して再生を開始した場合（１曲目から再生を開始した場合）、再生されたオーディオ信号の最初のトラック番号は「トラック１」となり、その後、各楽曲毎に「トラック２」、「トラック３」・・・のトラック番号が自動的に信号処理部１５から出力される。例えば、アナログレコード３０の２曲目から再生を開始した場合には、ユーザが操作部１７を用いてトラック番号の初期値を変更し、再生されたオーディオ信号の最初のトラック番号を「トラック２」に変更することにより、それ以降、各楽曲毎に「トラック３」、「トラック４」・・・のトラック番号が自動的に信号処理部１５から出力される。トラック番号をアナログレコード３０に記録されている楽曲のトラック番号と一致させることにより、アナログレコード３０のレーベル面の映像と再生した楽曲の順番とを一致させることができ、ユーザが曲名を認識しやすくなる。
【００２４】
ノイズ低減処理において、信号読取部１２から入力されたアナログオーディオ信号にアナログデジタル変換処理が施されたデジタルオーディオ信号に対してフィルタリング処理や補間処理を行い、信号読取部１２から入力したアナログオーディオ信号に含まれるノイズ成分を低減し、後段の出力部１６に出力する。
【００２５】
フィルタリング処理においては、ＦＩＲ（Finite Impulse Response）フィルタ等を用いて定常的に発生するノイズを低減する。また、補間処理においては、瞬間的に信号レベルが大きくなる部分をアナログレコードの盤上のチリ等によりレコード針が飛びノイズが発生したノイズ部分として検出し、当該ノイズ部分のデジタルオーディオ信号を削除し、当該ノイズ部分の直前のデジタルオーディオ信号を用いた補間処理、当該ノイズ部分の前後のデジタルオーディオ信号を用いた波形補間処理などにより、突発的に発生したノイズを低減する。
【００２６】
出力部１６は、アナログ信号出力端子、デジタル信号出力端子、ビデオ信号出力端子を備える。アナログ信号出力端子は、ピックアップ１２１により読み出され信号処理部１５から入力されたアナログオーディオ信号をそのまま出力する。デジタル信号出力端子は、信号処理部１５から入力されたデジタルオーディオ信号或いはデジタルオーディオ信号とトラック番号を出力する。ビデオ信号出力端子は、撮影部１４から入力されたビデオ信号を出力する。
【００２７】
操作部１７は、再生開始や再生停止等のアナログレコード３０の再生に関する指示を入力する再生関係操作ボタンと、撮影部１４におけるレーベル面の撮影に関する指示を入力する撮影関係操作ボタンを備える。操作部１７は、ユーザがそれぞれの操作ボタンを押して入力した指示に対応する指示信号を再生装置制御部１８に出力する。
【００２８】
再生装置制御部１８は、アナログレコード再生装置１０を総合的に制御する。再生装置制御部１８は、操作部１７から再生開始又は再生停止の指示信号が入力された場合、モータ１１２を回転させ、信号読取部１２のピックアップ１２１をアナログレコード３０の盤上に自動的に配置するよう制御を行う。なお、ピックアップ１２１をアナログレコード３０の盤上に自動的に配置する機能を備えてない場合には、モータ１１２を回転させる制御のみを行い、ピックアップ１２１をアナログレコード３０の盤上に載置する。
【００２９】
再生装置制御部１８は、アナログレコード３０の再生が開始すると、信号処理部１５に、信号読取部１２から入力されたアナログオーディオ信号と回転検出部１３から入力された角度信号とに基づいて再生中のアナログオーディオ信号の曲間を検出させ、検出した曲間に基づいてトラック番号を生成させ、トラック番号を出力部１６から出力させる制御を行う。また、再生装置制御部１８は、信号処理部１５に、デジタルオーディオ信号にノイズ低減処理を施し、ノイズ低減処理を施したデジタルオーディオ信号を出力部１６から出力させる制御を行う。
【００３０】
再生装置制御部１８は、操作部１７からレーベル面の撮影の指示信号の入力があった場合、撮影部１４にアナログレコード３０のレーベル面を撮影させる制御を行う。ここで、撮影部１４は、アナログレコード再生装置１０の特定の位置（例えば、操作部側）を基準として正体する向きでアナログレコード３０を載置してレーベル面を撮影した場合に、撮影したレーベル面が正体した向きで撮影されるようにアナログレコード再生装置１０の蓋部に取り付けられている。このため、アナログレコード３０のレーベル面の撮影において、ユーザは、アナログレコード再生装置１０のターンテーブル１１１上にアナログレコード３０を載置する際に、アナログレコード再生装置１０の特定の位置（例えば、操作部側）を基準として正体する向きでアナログレコード３０を載置する。アナログレコード３０をターンテーブル１１１上に載置した後、ユーザが撮影の指示を入力すると、再生装置制御部１８は、撮影部１４にアナログレコード３０のレーベル面を撮影させる制御を行う。
【００３１】
次に、記録装置２０について説明する。
記録装置２０は、入力部２１、エンコード部２２、記録部２３、操作部２４、記録装置制御部２５を備える。
【００３２】
本実施例においては、記録装置２０は、アナログレコード再生装置１０から出力されたトラック番号に基づいてデジタルオーディオ信号とビデオ信号を記録媒体に記録するものとして説明するが、アナログレコード再生装置１０からアナログオーディオ信号が入力された場合、当該アナログオーディオ信号をデジタルオーディオ信号に変換して記録媒体に記録するようにしてもよい。この場合、記録装置２０は、入力したアナログオーディオ信号をデジタルオーディオ信号に変換するアナログデジタル変換処理を施し、デジタルオーディオ信号を記録媒体に記録する。また、記録装置２０は、アナログレコード再生装置１０からデジタルオーディオ信号が入力された場合、当該デジタルオーディオ信号を記録媒体に記録するようにしてもよい。
【００３３】
入力部２１は、デジタル信号入力端子及びビデオ信号入力端子を備え、アナログレコード再生装置１０から出力されるトラック番号、デジタルオーディオ信号、ビデオ信号を入力し、入力したトラック番号、デジタルオーディオ信号、ビデオ信号をエンコード部２２に出力する。
【００３４】
エンコード部２２は、記録装置制御部２５の制御に基づいて、入力部２１から入力されたデジタルオーディオ信号にエンコード処理を施し、記録部２３の記録媒体に記録可能なデータ形式に変換し、変換したオーディオ信号を記録部２３に出力する。エンコード処理は、記録装置制御部２５の制御に基づいて行われ、記録部２３の記録媒体に記録するデータ形式に対応したエンコード方法が選択される。
【００３５】
また、エンコード部２２は、入力部２１から入力されるトラック番号に基づいて、入力部２１から入力されるデジタルオーディオ信号を楽曲（トラック）毎に区別してエンコード処理を施し、エンコードしたデジタルオーディオ信号を記録媒体に出力する。エンコード部２２は、アナログレコード再生装置１０からデジタルオーディオ信号の入力に先立ってトラック番号「トラック１」が入力され、その後にデジタルオーディオ信号が入力され、そして、次のトラック番号「トラック２」が入力された場合、トラック番号「トラック１」とトラック番号「トラック２」との間に入力されたデジタルオーディオ信号を「トラック１」のデジタルオーディオ信号としてエンコード処理を行う。
【００３６】
また、エンコード部２２は、ビデオ信号を一時記憶するメモリ（図示せず）を備える。エンコード部２２は、入力部２１からビデオ信号が入力された場合、後述する記録装置制御部２５の制御に基づいてビデオ信号をメモリに一時記憶し、記憶したビデオ信号と入力されたデジタルオーディオ信号にＭＰＥＧ方式などのエンコード処理を施し、エンコードしたオーディオ・ビデオ信号（以下、「ＡＶ信号」という。）を記録部２３に出力する。
【００３７】
記録部２３は、後述する記録装置制御部２５の制御に基づいて、エンコード部２２から入力するＡＶ信号を記録媒体に記録する。記録部２３における記録媒体としては、記録可能な光ディスク又は光磁気ディスク或いはＩＣメモリやハードディスクなどである。
【００３８】
操作部２４は、記録開始や記録停止等の記録媒体へのデータの記録に関する指示を入力する記録関係操作ボタンを備える。操作部２４は、ユーザがそれぞれの操作ボタンを押して入力した指示に対応する指示信号を記録装置制御部２５に出力する。
【００３９】
記録装置制御部２５は、記録装置２０全体を総合的に制御する。記録装置制御部２５は、操作部２４から記録開始の指示があり、アナログレコード再生装置１０からビデオ信号の入力があり、そしてトラック番号とデジタルオーディオ信号が入力された場合、エンコード部２２においてビデオ信号とデジタルオーディオ信号から記録部２３の記録媒体に対応したデータ形式のエンコード処理を施した後、エンコード部２２から出力されたデジタルオーディオ信号を記録部２３の記録媒体に記録する制御を行う。なお、記録装置制御部２５は、トラック番号に基づいてデジタルオーディオ信号のそれぞれトラック毎に区別してエンコード処理を施すようエンコード部２２を制御する。
【００４０】
本実施例の情報再生記録システムの動作について説明する。
本実施例においては、アナログレコード再生装置１０において再生したアナログレコード３０に記録されたオーディオ信号を、レーベル面のビデオ信号と共にトラック毎に記録装置２０によりＤＶＤ−Ｒ（Digital Versatile Disc - Rewritable）に記録する動作について説明する。
ユーザがアナログレコード再生装置１０のターンテーブル１１１にアナログレコード３０を載置し、記録装置２０の記録部２３にＤＶＤ−Ｒを装着する。
【００４１】
ユーザは、最初にアナログレコード３０のレーベル面を撮影する操作を行う。アナログレコード再生装置１０の再生装置制御部１８は、操作部１７から撮影の指示が入力されると、撮影部１４でアナログレコード３０のレーベル面を撮影し、そのビデオ信号を信号処理部１５及び出力部１６を介して記録装置２０に送信する。記録装置２０は、アナログレコード再生装置１０からビデオ信号を受信すると、エンコード部２２のメモリに一時記憶する。
【００４２】
次に、ユーザがアナログレコード再生装置１０において操作部１７で再生開始の指示を入力し、記録装置２０において操作部２４で記録開始の指示を入力すると、アナログレコード再生装置１０は、ターンテーブル１１１を回転させ、ピックアップ１２１によりアナログレコード３０からオーディオ信号の読取を開始する。また、それと同時に、再生装置制御部１８は、信号読取部１２から出力されるオーディオ信号の信号レベルと回転検出部１３から出力された角度信号に基づいて、オーディオ信号の曲間を検出を開始する。
【００４３】
信号読取部１２により読み取られたアナログオーディオ信号は、信号処理部１５によりデジタルオーディオ信号に変換され、ノイズ低減処理等が施される。信号処理部１５は、再生装置制御部１８の制御により、デジタルオーディオ信号を信号処理部１５に出力する前に、当該デジタルオーディオ信号が「トラック１」のオーディオ信号であることを示すトラック番号を出力部１６に出力し、その後にデジタルオーディオ信号を出力部１６に出力する。出力部１６は、トラック番号を記録装置２０に出力した後、続けてデジタルオーディオ信号を記録装置２０に出力する。
【００４４】
記録装置２０は、アナログレコード再生装置１０からトラック番号が入力されると、これから記録媒体に記録するデジタルオーディオ信号を「トラック１」とした管理情報の書き込みを行う。その後、デジタルオーディオ信号が入力すると、エンコード部２２においてメモリに記憶したビデオ信号と共にオーディオ信号のエンコード処理を行い、記録部２３のＤＶＤ−ＲにエンコードしたＡＶ信号の記録を開始する。
【００４５】
アナログレコード再生装置１０において、信号処理部１５が、信号読取部１２のピックアップ１２１から取得したアナログオーディオ信号と回転検出部１３からの角度信号に基づいて曲間を検出すると、その曲間を検出するまでに出力していたデジタルオーディオ信号を１トラック（１曲）分のオーディオ信号とする。
【００４６】
アナログレコード再生装置１０において、１トラック目の再生が終了し、２トラック目の再生が開始すると、信号処理部１５は、２トラック目のオーディオ信号の出力を行う前に、次に出力するデジタルオーディオ信号がトラック２であることを示すトラック番号を出力部１６を介して記録装置２０に出力する。その後、デジタルオーディオ信号を出力部１６を介して記録装置２０に出力する。
【００４７】
記録装置２０は、デジタルオーディオ信号の記録を継続している途中にアナログレコード再生装置１０からトラック番号が入力されると、トラック番号を受信するまでに連続して記録していたデジタルオーディオ信号を１トラックとし、当該デジタルオーディオ信号を「トラック１」として管理情報の書き込みを行う。それと共に、次にアナログレコード再生装置１０から入力されるデジタルオーディオ信号を２トラック目のオーディオ信号とし、当該デジタルオーディオ信号を「トラック２」とした管理情報の書き込みを行う。
【００４８】
以上の動作を繰り返し行うことにより、アナログレコード再生装置１０においては、アナログレコード３０に記録されたオーディオ信号の曲間を検出しトラックを自動的に判別し、トラック番号とデジタルオーディオ信号を記録装置２０に出力する。
【００４９】
記録装置２０においては、アナログレコード再生装置１０から入力したビデオ信号及びオーディオ信号をトラック番号により、アナログレコード３０のレーベル面のビデオ信号と共に、アナログレコード再生装置１０から入力するデジタルオーディオ信号をトラックを区別してＤＶＤ−Ｒに記録する。
【００５０】
この結果、当該ＤＶＤ−ＲをＤＶＤプレーヤで再生した場合、モニタには、アナログレコード３０のレーベル面とトラック番号が表示され、スピーカからはアナログレコード３０に記録されていたオーディオ信号が出力される。そして、ＤＶＤ−Ｒに記録されたオーディオ信号は、各トラック毎にわかれているため、ユーザは、モニタに表示されるトラック番号から現在再生している曲が何曲目であるかを認識することができ、また、レーベル面の映像から現在再生している楽曲の曲名を認識することができる。
【００５１】
前述した実施例において、アナログオーディオ再生装置２０の信号処理部１５における曲間検出処理は、アナログオーディオ信号の信号レベルとピックアップ１２１の単位時間当たりの移動距離とから無音期間を検出していたが、それに加えて撮影部１４により再生中のアナログレコード３０の盤上に形成された溝の間隔を読み取り、当該間隔の広さをも曲間検出に用いてもよい。この場合、撮影部１４は、撮像素子をターンテーブル１１１上に載置されたアナログレコード３０の半径方向に移動させるスライド機構を備える。そして、スライド機構は、再生装置制御部１８の制御により、撮像素子をピックアップ１２１の移動に伴ってアナログレコード３０の半径方向に移動する。
【００５２】
また、アナログレコード３０の盤上に形成された溝の間隔を読み取る撮像素子として、例えば、ファクシミリ等で使用されている２次元のＣＣＤラインセンサーを使用してもよい。この場合、アナログレコード３０の盤上に形成された溝対して直角に光学走査することで、可動部分なしにアナログレコード３０の盤上に形成された溝の間隔の変化を短時間で読み取ることができる。
【００５３】
曲間検出処理において、アナログオーディオ信号の信号レベルとピックアップ１２１の単位時間当たりの移動距離に加えて溝間隔の広さをも曲間検出に用いることにより、より正確にアナログレコード３０に記録されたオーディオ信号の曲間を検出できる。
【００５４】
また、前述した記録装置２０は、アナログレコード再生装置１０から入力したデジタルオーディオ信号に対してトラック番号を付して記録媒体に記録するが、この他に各トラックの時間情報も合わせて記録するようにしてもよい。この場合、アナログレコード再生装置１０は、タイマにより各トラックの再生時間を測定し、その時間情報もトラック番号と共にトラック情報として記録装置２０に出力する。記録装置２０は、アナログレコード再生装置１０から取得したトラック情報に含まれるトラック番号と時間情報を管理情報として書き込みを行う。
【図面の簡単な説明】
【００５５】
【図１】本発明の情報再生記録システムの一実施例の概略構成を示す図である。
【符号の説明】
【００５６】
１０・・・アナログレコード再生装置、１１・・・ターンテーブル駆動部、１１１・・・ターンテーブル、１１２・・・モータ、１２・・・信号読取部、１２１・・・ピックアップ、１２２・・・支持部、１３・・・回転検出部、１４・・・撮影部、１５・・・信号読取部、１６・・・出力部、１７・・・操作部、１８・・・再生装置制御部
２０・・・記録装置、２１・・・入力部、２２・・・エンコード部、２３・・・記録部、２４・・・操作部、２５・・・記録装置制御部
３０・・・アナログレコード
【図１】
2005267758.tif 000003